(57)【要約】【課題】  複数の機器毎に利用するサービスを使い分けるのみならず、さらに各機器でサービスを利用する際のサービスの選択操作を不要にすることができるようにする。【解決手段】  記憶部は、機器の識別情報と、ポスト先の情報とを対応付けて記憶する。送信制御部は、機器から送信されてきた、識別情報が付加されたコンテンツを、識別情報に対応付けられたポスト先に送信する。本技術は、複数のサービスを提供する情報処理装置に適用することができる。【選択図】図６
2013196405.tif 000002
【特許請求の範囲】
【請求項１】
機器の識別情報とポスト先の情報とを対応付けて記憶する記憶部と、
前記機器から送信されてきた、前記識別情報が付加されたコンテンツを、前記識別情報に対応付けられた前記ポスト先に送信する送信制御部と
を備える情報処理装置。
【請求項２】
前記記憶部は、ユーザが使用する前記機器又は別の機器から送信されてきた、前記識別情報と前記ポスト先の情報とを対応付けて記憶する
請求項１に記載の情報処理装置。
【請求項３】
前記コンテンツから前記識別情報を検出する検出部と、
前記検出部により検出された前記識別情報が前記記憶部に記憶されていることを照会して、前記識別情報に対応付けられた前記ポスト先の情報を前記記憶部から取得する照会部と
をさらに備え、
前記送信制御部は、前記照会部により取得された前記ポスト先の情報に基づいて、前記コンテンツを前記ポスト先に送信する
請求項２に記載の情報処理装置。
【請求項４】
前記識別情報は、前記機器のシリアルナンバーである
請求項１に記載の情報処理装置。
【請求項５】
前記送信制御部は、前記機器から送信されてきた、前記ポスト先の認証情報を前記ポスト先に送信し、
前記記憶部は、前記ポスト先において認証が成功した場合、前記認証情報を記憶する
請求項３に記載の情報処理装置。
【請求項６】
機器の識別情報とポスト先の情報とを対応付けて記憶し、
前記機器から送信されてきた、前記識別情報が付加されたコンテンツを、前記識別情報に対応付けられた前記ポスト先に送信する
ステップを含む情報処理方法。
【請求項７】
コンピュータを、
機器の識別情報とポスト先の情報とを対応付けて記憶する記憶部と、
前記機器から送信されてきた、前記識別情報が付加されたコンテンツを、前記識別情報に対応付けられた前記ポスト先に送信する送信制御部と
として機能させるためのプログラム。
【請求項８】
自機の識別情報と、コンテンツの送信先となるポスト先の情報とを送信する送信制御部と、
コンテンツを取得する取得部と、
前記取得部により取得されたコンテンツに対して、前記識別情報を付与する識別情報付与部と
を備え、
前記送信制御部は、自機が登録されたサーバに対して、前記識別情報付与部により前記識別情報が付与された前記コンテンツを送信する
情報処理装置。
【請求項９】
自機の識別情報と、コンテンツの送信先となるポスト先の情報とを送信し、
コンテンツを取得し、
取得されたコンテンツに対して、前記識別情報を付与する
ステップを含み、
自機が登録されたサーバに対して、前記識別情報が付与された前記コンテンツを送信する
情報処理方法。
【請求項１０】
コンピュータを、
自機の識別情報と、コンテンツの送信先となるポスト先の情報とを送信する送信制御部と、
コンテンツを取得する取得部と、
前記取得部により取得されたコンテンツに対して、前記識別情報を付与する識別情報付与部
として機能させるためのプログラムであって、
前記送信制御部は、自機が登録された前記サーバに対して、前記識別情報付与部により前記識別情報が付与された前記コンテンツを送信する
プログラム。
【請求項１１】
自機の識別情報と、コンテンツの送信先となるポスト先の情報とを送信する送信制御部と、
コンテンツを取得する取得部と、
前記取得部により取得されたコンテンツに対して、前記識別情報を付与する識別情報付与部と
を有し、
前記送信制御部は、自機が登録されたサーバに対して、前記識別情報付与部により前記識別情報が付与された前記コンテンツを送信する
ユーザ端末と、
前記識別情報と、前記ポスト先の情報とを対応付けて記憶する記憶部と、
前記ユーザ端末から送信されてきた、前記識別情報が付加された前記コンテンツを、前記識別情報に対応付けられた前記ポスト先に送信する送信制御部と
を有するサーバと
を備える
情報処理システム。
【発明の詳細な説明】
【技術分野】
【０００１】
本技術は、情報処理装置及び方法、プログラム、並びに情報処理システムに関し、特に、複数の機器毎に利用するサービスを使い分けるのみならず、さらに各機器でサービスを利用する際のサービスの選択操作を不要にすることができる、情報処理装置及び方法、プログラム、並びに情報処理システムに関する。
【背景技術】
【０００２】
近年、ソーシャルメディア等のインターネットサービスの普及により、ユーザは複数のサービスを利用する機会が増加している。ユーザの多くは、これらの複数のサービスを目的毎に使い分けているが、同一のコンテンツを複数のサービスの各々で使用したいと要望する場合がある。
【０００３】
このような要望に応える従来の手法として、あるサービスのユーザＩＤに基づいて、複数のサービスにコンテンツを自動的に振り分ける手法が存在する（例えば、特許文献１参照）。
【先行技術文献】
【特許文献】
【０００４】
【特許文献１】特開２００４−２３４２００号公報
【発明の概要】
【発明が解決しようとする課題】
【０００５】
スマートフォン等のカメラ付き携帯端末やデジタルカメラの普及により、一人のユーザが、複数の機器を所有していることが多い。このような状況の下、複数の機器毎に利用するサービスを使い分けるのみならず、さらに各機器でサービスを利用する際のサービスの選択操作は不要にしたいという要望が挙げられるようになっている。特許文献１に記載の手法を含め従来の手法では、このような要望に十分に応えられていない。
【０００６】
本技術は、このような状況に鑑みてなされたものであり、複数の機器毎に利用するサービスを使い分けるのみならず、さらに各機器でサービスを利用する際のサービスの選択操作を不要にすることができるようにしたものである。
【課題を解決するための手段】
【０００７】
本技術の第１の側面の情報処理装置は、機器の識別情報とポスト先の情報とを対応付けて記憶する記憶部と、前記機器から送信されてきた、前記識別情報が付加されたコンテンツを、前記識別情報に対応付けられた前記ポスト先に送信する送信制御部とを備える。
【０００８】
前記記憶部は、ユーザが使用する前記機器又は別の機器から送信されてきた、前記識別情報と前記ポスト先の情報とを対応付けて記憶することができる。
【０００９】
前記コンテンツから前記識別情報を検出する検出部と、前記検出部により検出された前記識別情報が前記記憶部に記憶されていることを照会して、前記識別情報に対応付けられた前記ポスト先の情報を前記記憶部から取得する照会部とをさらに設け、前記送信制御部は、前記照会部により取得された前記ポスト先の情報に基づいて、前記コンテンツを前記ポスト先に送信することができる。
【００１０】
前記識別情報は、前記機器のシリアルナンバーとすることができる。
【００１１】
前記送信制御部は、前記機器から送信されてきた、前記ポスト先の認証情報を前記ポスト先に送信し、前記記憶部は、前記ポスト先において認証が成功した場合、前記認証情報を記憶することができる。
【００１２】
本技術の第１の側面の情報処理方法及びプログラムは、上述した本技術の第１の側面の情報処理装置に対応する方法及びプログラムである。
【００１３】
本技術の第１の側面の情報処理装置及び方法並びにプログラムにおいては、機器の識別情報とポスト先の情報とが対応付けて記憶され、前記機器から送信されてきた、前記識別情報が付加されたコンテンツが、前記識別情報に対応付けられた前記ポスト先に送信される。
【００１４】
本技術の第２の側面の情報処理装置は、自機の識別情報と、コンテンツの送信先となるポスト先の情報とを送信する送信制御部と、コンテンツを取得する取得部と、前記取得部により取得されたコンテンツに対して、前記識別情報を付与する識別情報付与部とを備え、前記送信制御部は、自機が登録されたサーバに対して、前記識別情報付与部により前記識別情報が付与された前記コンテンツを送信する。
【００１５】
本技術の第２の側面の情報処理方法及びプログラムは、上述した本技術の第２の側面の情報処理装置に対応する方法及びプログラムである。
【００１６】
本技術の第１の側面の情報処理装置及び方法並びにプログラムにおいては、自機の識別情報と、コンテンツの送信先となるポスト先の情報とが送信され、コンテンツが取得され、取得されたコンテンツに対して、前記識別情報が付与され、自機が登録されたサーバに対して、前記識別情報が付与された前記コンテンツが送信される。
【００１７】
本技術の第３の側面の情報処理システムは、自機の識別情報と、コンテンツの送信先となるポスト先の情報とを送信する送信制御部と、コンテンツを取得する取得部と、前記取得部により取得されたコンテンツに対して、前記識別情報を付与する識別情報付与部とを有し、前記送信制御部は、自機が登録されたサーバに対して、前記識別情報付与部により前記識別情報が付与された前記コンテンツを送信するユーザ端末と、前記識別情報と、前記ポスト先の情報とを対応付けて記憶する記憶部と、前記ユーザ端末から送信されてきた、前記識別情報が付加された前記コンテンツを、前記識別情報に対応付けられた前記ポスト先に送信する送信制御部とを有するサーバとを備える。
【００１８】
本技術の第３の側面の情報処理システムにおいては、ユーザ端末において、自機の識別情報と、コンテンツの送信先となるポスト先の情報とが送信され、コンテンツが取得され、取得されたコンテンツに対して、前記識別情報が付与され、自機が登録されたサーバに対して、前記識別情報が付与された前記コンテンツが送信される。サーバにおいては、前記識別情報と、前記ポスト先の情報とが対応付けて記憶され、前記ユーザ端末から送信されてきた、前記識別情報が付加された前記コンテンツが、前記識別情報に対応付けられた前記ポスト先に送信される。
【発明の効果】
【００１９】
本技術によれば、複数の機器毎に利用するサービスを使い分けるのみならず、さらに各機器でサービスを利用する際のサービスの選択操作を不要にすることができる。
【図面の簡単な説明】
【００２０】
【図１】情報処理システムの構成例を示す図である。
【図２】情報処理システムの構成を示すブロック図である。
【図３】サーバのハードウェアの構成例を示すブロック図である。
【図４】ユーザＤＢの詳細な構成を示す図である。
【図５】ユーザ端末のハードウェアの構成例を示すブロック図である。
【図６】サーバのCPUの機能的構成例を示すブロック図である。
【図７】ユーザ端末のCPUの機能的構成例を示すブロック図である。
【図８】ユーザ使用機器登録処理を実現させるためのサーバのCPUとユーザ端末のCPUの機能的構成例を示すブロック図である。
【図９】ユーザ登録処理の流れについて説明するフローチャートである。
【図１０】コンテンツ投稿処理を実現させるためのサーバのCPUとユーザ端末のCPUの機能的構成例を示すブロック図である。
【図１１】コンテンツ投稿処理の流れについて説明するフローチャートである。
【図１２】情報処理システムの構成例を示す図である。
【図１３】情報処理システムの構成例を示す図である。
【発明を実施するための形態】
【００２１】
[本技術の概略]
図１は、本技術が適用される情報処理システム１の構成例を示している。
【００２２】
情報処理システム１においては、ユーザＵは、複数のユーザ端末ＣＡ１乃至ＣＡＮ（Ｎは、２以上の任意の整数値）を保有している。ユーザ端末ＣＡ１乃至ＣＡＮの各々は、スマートフォン、カメラ付き携帯端末、デジタルカメラ等、撮像機能を有する各種各様の端末で構成され、一意に識別可能な情報（以下、機器識別情報と称する）を有している。機器識別情報としては、例えば、各端末のシリアルナンバーを採用することができる。
【００２３】
ユーザＵは、このようなユーザ端末ＣＡ１乃至ＣＡＮ毎に、サービスを利用するネットワーク上のメディア（以下、ポスト先メディアと称する）を使い分けることができる。メディアは、例えば、Facebook、mixi等のSNS(social networking service)やBlogである。
【００２４】
具体的には、ユーザＵは、ユーザ端末ＣＡ１を使用して、SNSとしてのポスト先メディアＭＤ１にコンテンツを投稿する。また、ユーザＵは、ユーザ端末ＣＡＮを使用して、Blogとしてのポスト先メディアＭＤＭに対してコンテンツを投稿する。
【００２５】
このような使用を可能にするため、ユーザＵは、サーバ１１に対して次のような登録作業をする。
【００２６】
先ず、矢印＃１に示すように、ユーザＵは、ユーザ端末ＣＡ１乃至ＣＡＮのうちの任意の端末を操作して、ユーザＵを特定可能な情報を、ユーザ情報としてサーバ１１に送信する。ユーザ情報には、例えばユーザＵのユーザＩＤが含まれる。サーバ１１は、ユーザＤＢ２１を有しており、ユーザＵのユーザ情報を受信すると、ユーザＤＢ２１に記憶させる。これにより、ユーザ登録が完了する。
【００２７】
次に、ユーザＵは、ユーザ端末ＣＡ１を操作して、ユーザ端末ＣＡ１の機器識別情報と、ポスト先メディアＭＤ１の情報とを、サーバ１１に送信する。さらに、ユーザＵは、ユーザ端末ＣＡ１とは別のユーザ端末ＣＡｋ（ｋは、２乃至Ｎのうちのいずれかの整数値）の識別情報をサーバ１１に送信することができる。なお、ユーザ端末ＣＡ１が他のユーザ端末ＣＡｋの機器識別情報を取得する手法は特に限定されず、例えば、相互に通信することで取得してもよい。サーバ１１は、ユーザ端末ＣＡ１の機器識別情報と、ポスト先メディアＭＤ１の情報とを対応付けて、ユーザＤＢ２１に記憶させる。
【００２８】
同様に、ユーザＵは、ユーザ端末ＣＡＮを操作して、ユーザ端末ＣＡＮの機器識別情報と、ポスト先メディアＭＤＭの情報とを、サーバ１１に送信する。サーバ１１は、ユーザ端末ＣＡＮの機器識別情報と、ポスト先メディアＭＤＭの情報とを対応付けて、ユーザＤＢ２１に記憶させる。
【００２９】
これにより、ユーザＵは、ユーザ端末ＣＡ１を使用してポスト先メディアＭＤ１にコンテンツを投稿し、ユーザ端末ＣＡＮを使用してポスト先メディアＭＤＭにコンテンツを投稿する、といった使い分けができるようになる。
【００３０】
例えば、ユーザＵは、ユーザ端末ＣＡ１により、画像や音声のコンテンツ（以下、適宜UGC(User Generated Content)と称する）を生成し、ネットワーク上に投稿すると、ポスト先メディアＭＤ１における再生が可能になる。一方、ユーザＵは、ユーザ端末ＣＡＮによりUGCを生成し、ネットワーク上に投稿すると、ポスト先メディアＭＤＭにおける再生が可能になる。なお、UGCは、上述の如く画像のみならず音声も含み得るが、以下では説明の簡略上、画像であるとして取り扱う。
【００３１】
具体的には、ユーザＵは、ユーザ端末ＣＡ１を用いて、ハンバーガを撮像することで、ハンバーガの画像のコンテンツＣ１を生成したとする。この場合、ユーザ端末ＣＡ１は、生成されたコンテンツＣ１に対して、ユーザ端末ＣＡ１の機器識別情報を付与する。ユーザ端末ＣＡ１は、自機の機器識別情報が付与されたコンテンツＣ１を、矢印＃１１に示すように、サーバ１１に送信する。
【００３２】
サーバ１１は、コンテンツＣ１を受信すると、コンテンツＣ１に付与された機器識別情報を検出する。そして、サーバ１１は、検出された機器識別情報が、ユーザＤＢ２１に登録されているかを照会する。ここでは、ユーザ端末ＣＡ１の機器識別情報は登録済みであるので、サーバ１１は、登録されている機器識別情報に対応付けられたポスト先メディアＭＤ１の情報を取得する。
【００３３】
サーバ１１は、取得されたポスト先メディアＭＤ１の情報に基づいて、コンテンツＣ１を、矢印＃１２に示すように、ポスト先メディアＭＤ１を管理するサーバ（以下、メディア管理サーバと称する）に送信する。これにより、コンテンツＣ１は、他のユーザと、ポスト先メディアＭＤ１において共有される。
【００３４】
一方、ユーザＵは、ユーザ端末ＣＡＮを用いて、鳥を撮像することで、鳥の画像のコンテンツＣ１１を生成したとする。この場合、ユーザ端末ＣＡＮは、生成されたコンテンツＣ１１に対して、ユーザ端末ＣＡＮの機器識別情報を付与する。ユーザ端末ＣＡＮは、自機の機器識別情報が付与されたコンテンツＣ１１を、矢印＃２１に示すように、サーバ１１に送信する。
【００３５】
サーバ１１は、コンテンツＣ１１を受信すると、コンテンツＣ１１に付与された機器識別情報を検出する。そして、サーバ１１は、検出された機器識別情報が、ユーザＤＢ２１に登録されているかを照会する。ここでは、ユーザ端末ＣＡＮの機器識別情報は登録済みであるので、サーバ１１は、登録されている機器識別情報に対応付けられたポスト先メディアＭＤＭの情報を取得する。
【００３６】
サーバ１１は、取得されたポスト先メディアＭＤＭの情報に基づいて、コンテンツＣ１１を、矢印＃２２に示すように、ポスト先メディアＭＤ２のメディア管理サーバに送信する。これにより、コンテンツＣ１１は、他のユーザと、ポスト先メディアＭＤＭにおいて共有される。
【００３７】
このように、情報処理システム１によれば、ユーザは、ユーザ端末毎に、ユーザ端末の機器識別情報と、ユーザ端末で利用するポスト先メディアとを予め対応付けてサーバ１１に登録する。ユーザは、所定のユーザ端末でコンテンツを生成すると、所定のユーザ端末の機器識別情報をコンテンツに付与してサーバ１１に送信する。これにより、サーバ１１では、機器識別情報に基づいて、所定のユーザ端末に対応付けられたポスト先メディアを特定して、特定されたポスト先メディアにコンテンツを転送することが可能になる。
【００３８】
したがって、ユーザは、複数のユーザ端末毎に利用するサービスを使い分けることができるのみならず、さらに各ユーザ端末でサービスを利用する際のサービスの選択操作を不要にすることができる。
【００３９】
[情報処理システムの構成例]
図２は、情報処理システム１の構成を示すブロック図である。
【００４０】
情報処理システム１は、サーバ１１、ユーザ端末３１−１乃至３１−Ｎ（Ｎは、１以上の任意の整数値）、及びメディア管理サーバ３２−１乃至３２−Ｍ（Ｍは、１以上の任意の整数値）が、ネットワーク３４を介して相互に接続されて構成されている。なお、以下、ユーザ端末３１−１乃至３１−Ｎを個々に区別する必要がない場合、これらをまとめてユーザ端末３１と称する。また、メディア管理サーバ３２−１乃至３２−Ｍを個々に区別する必要がない場合、これらをまとめてメディア管理サーバ３２と称する。
【００４１】
[サーバのハードウェア構成例]
図３は、サーバ１１のハードウェアの構成例を示すブロック図である。
【００４２】
サーバ１１は、CPU（Central Processing Unit）５１、ROM（Read Only Memory）５２、RAM（Random Access Memory）５３、バス５４、入出力インタフェース５５、入力部５６、出力部５７、記憶部５８、通信部５９、及びドライブ６０を備えている。
【００４３】
CPU５１は、ROM５２に記録されているプログラムに従って各種の処理を実行する。または、CPU５１は、記憶部５８からRAM５３にロードされたプログラムに従って各種の処理を実行する。RAM５３にはまた、CPU５１が各種の処理を実行する上において必要なデータなども適宜記憶される。
【００４４】
CPU５１、ROM５２、及びRAM５３は、バス５４を介して相互に接続されている。このバス５４にはまた、入出力インタフェース５５も接続されている。入出力インタフェース５５には、入力部５６、出力部５７、記憶部５８、及び通信部５９が接続されている。
【００４５】
入力部５６は、キーボード、マウス、マイクロフォンなどよりなる。出力部５７は、ディスプレイ、スピーカなどにより構成され、各種画像を出力する。
【００４６】
記憶部５８は、例えばハードディスクや不揮発性のメモリ等から構成され、各種情報、ユーザＤＢ２１を記憶する。ユーザＤＢ２１の詳細については、図４を参照して後述する。
【００４７】
通信部５９は、インターネットを含むネットワーク３４を介して、ユーザ端末３１、メディア管理サーバ３２、及び広告主端末３３との間で行う通信を制御する。
【００４８】
入出力インタフェース５５にはまた、必要に応じてドライブ６０が接続され、磁気ディスク、光ディスク、光磁気ディスク、或いは半導体メモリなどよりなるリムーバブルメィア６１が適宜装着される。そして、それらから読み出されたコンピュータプログラムが、必要に応じて記憶部５８にインストールされる。
【００４９】
[ＤＢの詳細]
図４は、記憶部５８に記憶されているユーザＤＢ２１の詳細な構成を示す図である。
【００５０】
ユーザＤＢ２１には、ユーザＩＤ、機器識別情報１乃至Ｎ（Ｎは、１以上の任意の整数値）及びポスト先メディア情報１乃至Ｍ（Ｍは、１以上の任意の整数値）が格納される。
【００５１】
ユーザＩＤは、ユーザを識別するための情報である。機器識別情報１乃至Ｎは、ユーザＩＤにより識別されるユーザが使用するユーザ端末１乃至Ｎのそれぞれを識別可能な情報である。ポスト先メディア情報１乃至Ｍは、ポスト先メディア１乃至Ｍのそれぞれを示す情報である。
【００５２】
ユーザＩＤと機器識別情報１乃至Ｎのそれぞれは対応付けられている。また、機器識別情報１乃至Ｎのそれぞれには、ポスト先メディア情報１乃至Ｍのうち、ユーザにより指定されたものが対応付けられている。
【００５３】
[ユーザ端末のハードウェア構成例]
図５は、ユーザ端末３１のハードウェアの構成例を示すブロック図である。
【００５４】
ユーザ端末３１は、CPU８１、ROM８２、RAM８３、バス８４、入出力インタフェース８５、撮像部８６、入力部８７、出力部８８、記憶部８９、通信部９０、ドライブ９１、及びリムーバブルメディア９２を備えている。
【００５５】
ユーザ端末３１は、図３のサーバ１１と基本的に同様の機能と構成を有している。重複する説明については省略する。
【００５６】
撮像部８６は、被写体を撮像し、画像のデータを出力する。撮像部８６は、例えばCCD（Charge Coupled Device）やCMOS（Complementary Metal Oxide Semiconductor）等の撮像素子を有し、被写体を撮像して撮像画像のデータを出力する。
【００５７】
以上、サーバ１１及びユーザ端末３１の各々のハードウェア構成について説明した。以下、サーバ１１及びユーザ端末３１の各々の機能的構成について説明する。
【００５８】
[サーバの機能的構成例]
図６は、図３に示されるサーバ１１のCPU５１の機能的構成例を示すブロック図である。
【００５９】
CPU５１は、受信制御部１２０、認証部１２１、送信制御部１２２、検出部１２３、及び照会部１２４を有している。
【００６０】
なお、受信制御部１２０乃至照会部１２４の機能の詳細については、図８乃至図１１を参照して後述する。
【００６１】
[ユーザ端末の機能的構成例]
図７は、図５に示されるユーザ端末３１のCPU８１の機能的構成例を示すブロック図である。
【００６２】
CPU８１は、コンテンツ取得部１５１、受付部１５２、送信制御部１５３、機器識別情報付与部１５４、受信制御部１５５、及び出力制御部１５６を有している。
【００６３】
なお、コンテンツ取得部１５１乃至出力制御部１５６の機能の詳細については、図８乃至図１１を参照して後述する。
【００６４】
[ユーザ使用機器登録処理]
以下、図８と図９を参照して、情報処理システム１が、ユーザが使用するユーザ端末を登録する一連の処理であるユーザ使用機器登録処理について説明する。ここでは、ユーザ端末３１−１が、ユーザが使用するユーザ端末として登録されるとする。
【００６５】
[ユーザ使用機器登録処理が実行される場合のサーバとユーザ端末の機能的構成例]
図８は、図３に示されるサーバ１１のCPU５１と、図５に示されるユーザ端末３１のCPU８１との各々が有する機能のうち、ユーザ使用機器登録処理を実現させるための機能的構成例を示すブロック図である。
【００６６】
ユーザ使用機器登録処理が実行される場合、図８に示されるように、ユーザ端末３１−１のCPU８１においては、受付部１５２、及び送信制御部１５３が機能する。
【００６７】
サーバ１１のCPU５１において、ユーザ使用機器登録処理が実行される場合には図８に示されるように、受信制御部１２０、認証部１２１、及び送信制御部１２２が機能する。
【００６８】
次に、図９を参照して、ユーザ使用機器登録処理の流れを説明するが、その際に、図８に示される各機能ブロックの詳細について併せて説明する。
【００６９】
[ユーザ使用機器登録処理の流れ]
図９は、ユーザ使用機器登録処理の流れについて説明するフローチャートである。図９には左方から順に、ユーザ端末３１−１側のユーザ使用機器登録処理の流れについて説明するフローチャート、サーバ１１側のユーザ使用機器登録処理の流れについて説明するフローチャート、及びユーザ端末３１−１に対応付けられるポスト先メディアを管理するメディア管理サーバ３２−１側のユーザ使用機器登録処理の流れについて説明するフローチャートのそれぞれが示されている。なお、図９における３つのフローチャートを結ぶ左右方向の矢印は、情報の流れを示している。
【００７０】
ステップＳ１において、ユーザ端末３１−１の受付部１５２は、ユーザの入力部８７に対する操作により入力されたユーザ情報を受け付ける。ユーザ情報は、情報処理システム１にログインするための情報、具体的には、ユーザＩＤ及びパスワードを含む。
【００７１】
ステップＳ２において、送信制御部１５３は、ユーザ情報をサーバ１１へ送信する。なお、サーバ１１との間での情報の送受信は、送信制御部１５３により通信部９０が制御されることによって、または受信制御部１５５により通信部９０が制御されることによって行われる。
【００７２】
ステップＳ２１において、サーバ１１の受信制御部１２０は、ユーザ端末３１−１から送信されてきたユーザ情報を受信する。なお、ユーザ端末３１−１との間での情報の送受信は、受信制御部１２０により通信部５９が制御されることによって、または送信制御部１２２により通信部５９が制御されることによって行われる。
【００７３】
ステップＳ２２において、認証部１２１は、受信されたユーザ情報をユーザＤＢ２１に格納させることで、ユーザをユーザ登録する。
【００７４】
これにより、サーバ１１においてユーザ端末３１−１のログイン処理が終了し、その旨の通知がユーザ端末３１−１に送信される。
【００７５】
ステップＳ３において、ユーザ端末３１−１の受付部１５２は、ユーザの入力部８７に対する操作により入力されたユーザ端末３１−１の登録を受け付ける。
【００７６】
ステップＳ４において、送信制御部１５３は、登録が受け付けられたユーザ端末３１−１の機器識別情報を、サーバ１１へ送信する。
【００７７】
ステップＳ２３において、サーバ１１の受信制御部１２０は、ユーザ端末３１−１から送信されてきた機器識別情報を受信する。
【００７８】
ステップＳ２４において、受信制御部１２０は、機器識別情報を、ステップＳ２２の処理で格納されたユーザ情報と対応付けてユーザＤＢ２１に格納させる。
【００７９】
ステップＳ５において、ユーザ端末３１−１の受付部１５２は、ユーザの入力部８７に対する操作により入力されたポスト先メディアの指定を受け付ける。
【００８０】
ステップＳ６において、送信制御部１５３は、受付部１５２により指定が受け付けられたポスト先メディアの情報を、サーバ１１へ送信する。
【００８１】
ステップＳ２５において、サーバ１１の受信制御部１２０は、ユーザ端末３１−１から送信されてきたポスト先メディアの情報を受信する。
【００８２】
ステップＳ２６において、受信制御部１２０は、ポスト先メディアの情報を、ステップＳ２４の処理で格納された機器識別情報と対応付けてユーザＤＢ２１に格納させる。
【００８３】
ステップＳ７において、ユーザ端末３１−１の受付部１５２は、ユーザの入力部８７に対する操作により入力された、ポスト先メディアの認証情報を受け付ける。
【００８４】
ステップＳ８において、送信制御部１５３は、ポスト先メディアの認証情報をサーバ１１へ送信する。
【００８５】
これにより、ユーザ端末３１−１側のユーザ使用機器登録処理は終了する。
【００８６】
ステップＳ２７において、サーバ１１の受信制御部１２０は、ユーザ端末３１−１から送信されてきたポスト先メディアの認証情報を受信する。
【００８７】
ステップＳ２８において、送信制御部１２２は、ポスト先メディアの認証情報をメディア管理サーバ３２−１に送信する。
【００８８】
ステップＳ４１において、メディア管理サーバ３２−１は、サーバ１１から送信されてきたポスト先メディアの認証情報を受信する。
【００８９】
ステップＳ４２において、メディア管理サーバ３２−１は、認証情報に基づいて、認証処理を実行する。
【００９０】
ステップＳ４３において、メディア管理サーバ３２−１は、認証に成功したか否かを判定する。
【００９１】
認証に成功しないとステップＳ４３において判定された場合、処理はステップＳ４１に戻され、それ以降の処理が繰り返される。即ち、認証に成功するまでの間、ステップＳ４１乃至Ｓ４３のループ処理が繰り返される。なお、認証に成功しない場合、メディア管理サーバ３２−１は、認証に成功しない旨の通知をサーバ１１に送信する。すると、サーバ１１は、認証に成功しない旨の通知をユーザ端末３１−１に送信する。ユーザ端末３１−１は、サーバ１１から送信されてきた通知を受信すると、ステップＳ７の処理に戻る。即ち、認証に成功するまでの間、ユーザ端末３１−１においてはステップＳ７，Ｓ８の処理が繰り返され、サーバ１１においては、ステップＳ２７，２８の処理が繰り返される。
【００９２】
これに対して、認証に成功したとステップＳ４３において判定された場合、処理はステップＳ４４に進む。例えば、サーバ１１から送信されてきたパスワード等の認証情報と、メディア管理サーバ３２−１に予め登録されている認証情報が一致した場合に認証が成功する。
【００９３】
ステップＳ４４において、メディア管理サーバ３２−１は、認証に成功した旨の通知をサーバ１１に送信する。
【００９４】
これにより、メディア管理サーバ３２−１側のユーザ使用機器登録処理は終了する。
【００９５】
サーバ１１においては、受信制御部１２０が、メディア管理サーバ３２−１から送信されてきた通知を受信すると、処理はステップＳ２９に進む。
【００９６】
ステップＳ２９において、サーバ１１の受信制御部１２０は、ポスト先メディアの認証情報を、ステップＳ２２の処理で格納されたユーザ情報と対応付けてユーザＤＢ２１に格納させる。
【００９７】
これにより、サーバ１１側のユーザ使用機器登録処理は終了する。
【００９８】
このように、ユーザ使用機器登録処理においては、ユーザ端末毎に、ユーザ端末の機器識別情報と、ユーザ端末で利用するポスト先メディアとが予め対応付けられてサーバ１１に登録される。
【００９９】
[コンテンツ投稿処理]
次に、図１０と図１１を参照して、ユーザが、自身が生成したコンテンツをポスト先メディアに投稿した場合に、情報処理システム１がコンテンツを表示する一連の処理であるコンテンツ投稿処理について説明する。ここでは、ユーザ端末３１−１が、コンテンツを投稿するとする。
【０１００】
[コンテンツ投稿処理が実行される場合のサーバとユーザ端末の機能的構成例]
図１０は、図３に示されるサーバ１１のCPU５１と、図５に示されるユーザ端末３１のCPU８１との各々が有する機能のうち、コンテンツ投稿処理を実現させるための機能的構成例を示すプロック図である。
【０１０１】
コンテンツ投稿処理が実行される場合、図１０に示されるように、ユーザ端末３１−１のCPU８１においては、コンテンツ取得部１５１、受付部１５２、送信制御部１５３、機器識別情報付与部１５４、受信制御部１５５、及び出力制御部１５６が機能する。
【０１０２】
サーバ１１のCPU５１において、コンテンツ投稿処理実行される場合には図１０に示されるように、受信制御部１２０、送信制御部１２２、検出部１２３、及び照会部１２４が機能する。
【０１０３】
次に、図１１を参照して、コンテンツ投稿処理の流れを説明するが、その際に、図１０に示される各機能ブロックの機能の詳細について併せて説明する。
【０１０４】
[コンテンツ投稿処理の流れ]
図１１は、コンテンツ投稿処理の流れについて説明するフローチャートである。図１１には左方から順に、ユーザ端末３１−１側のコンテンツ投稿処理の流れについて説明するフローチャート、サーバ１１側のコンテンツ投稿処理の流れについて説明するフローチャート、及びメディア管理サーバ３２−１側のコンテンツ投稿処理の流れについて説明するフローチャートのそれぞれが示されている。なお、図１１における３つのフローチャートを結ぶ左右方向の矢印は、情報の流れを示している。
【０１０５】
ステップＳ６１において、ユーザ端末３１−１のコンテンツ取得部１５１は、受付部１５２により受け付けられたコンテンツ取得の指示に基づいて、コンテンツを記憶部８９から取得する。なお、記憶部８９に格納されているコンテンツは、ユーザにより生成されたUGCである。例えば、記憶部８９には、ユーザの入力部８７に対する操作に基づいて、撮像部８６によって撮像された被写体の画像のコンテンツが格納されている。
【０１０６】
ステップＳ６２において、機器識別情報付与部１５４は、コンテンツ取得部１５１により取得されたコンテンツに機器識別情報を付与する。
【０１０７】
ステップＳ６３において、送信制御部１５３は、機器識別情報付与部１５４により機器識別情報が付与されたコンテンツを、サーバ１１へ送信する。
【０１０８】
ステップＳ８１において、サーバ１１の受信制御部１２０は、ユーザ端末３１−１から送信されてきたコンテンツを受信する。
【０１０９】
ステップＳ８２において、検出部１２３は、受信したコンテンツから機器識別情報を検出する。
【０１１０】
ステップＳ８３において、照会部１２４は、検出された機器識別情報が、ユーザＤＢ２１に登録されているかを照会する。ここでは、ユーザ端末３１−１の機器識別情報は登録済みであるので、照会部１２４は、登録されている機器識別情報に対応付けられたポスト先メディアの情報を取得する。
【０１１１】
ステップＳ８４において、送信制御部１２２は、取得されたポスト先メディアの情報に基づいて、コンテンツを、ポスト先メディアを管理するメディア管理サーバ３２−１に送信する。
【０１１２】
これにより、サーバ１１側のコンテンツ投稿処理は終了する。
【０１１３】
ステップＳ１０１において、メディア管理サーバ３２−１は、サーバ１１から送信されてきたコンテンツを受信する。
【０１１４】
ステップＳ１０２において、メディア管理サーバ３２−１は、ユーザ端末３１−１に対して各種データや各種制御情報を送信することで、ユーザ端末３１−１におけるコンテンツの表示を制御する。
【０１１５】
これにより、メディア管理サーバ３２−１側のコンテンツ投稿処理は終了する。
【０１１６】
ユーザ端末３１−１においては、受信制御部１５５が、メディア管理サーバ３２−１から送信されてきた各種データや各種制御情報を受信すると、処理はステップＳ６４に進む。
【０１１７】
ステップＳ６４において、出力制御部１５６は、メディア管理サーバ３２−１からの各種データや各種制御情報に基づいて、コンテンツを出力部８８に表示させる。
【０１１８】
これにより、ユーザ端末３１−１側のコンテンツ投稿処理は終了する。
【０１１９】
このように、本技術の情報処理システム１によれば、ユーザ端末毎に、ユーザ端末の機器識別情報と、ユーザ端末で利用するポスト先メディアとが予め対応付けられてサーバ１１に登録される。所定のユーザ端末でコンテンツが生成されると、所定のユーザ端末の機器識別情報がコンテンツに付与されてサーバ１１に送信される。これにより、サーバ１１では、機器識別情報に基づいて、所定のユーザ端末に対応付けられたポスト先メディアを特定して、ポスト先メディアにコンテンツを転送することが可能になる。
【０１２０】
したがって、ユーザは、複数のユーザ端末毎に利用するサービスを使い分けることができるのみならず、さらに各ユーザ端末でサービスを利用する際のサービスの選択操作を不要にすることができる。
【０１２１】
[情報処理システム１の適用例]
情報処理システム１は、ユーザが生成したUGCに対して広告サイトへのリンクが張られることにより、リンクが張られたUGCが、アフィリエイトメディアとして広告媒体化されるサービスに適用することが可能である。なお、このようなサービスに適用された情報処理システム１を、情報処理システム１００と称する。
【０１２２】
[情報処理システム１００の構成例]
図１２は、情報処理システム１００により実現されるモデルの構成例を示す図である。
【０１２３】
図１２に示されるモデルでは、UGCの内容が解析され、UGCに対して、その解析された内容に関連する企業（即ち、広告主）の広告サイトへのリンクが張られる。その後、広告サイトへのリンクが張られたUGCは、ネットワーク上にアップロードされると、他のユーザにより閲覧が可能となる。他のユーザは、UGCに張られたリンクを経由して広告サイトを閲覧し、広告サイトで会員登録したり商品を購入する等の一定の行為をすることができる。このように広告サイトの閲覧がなされると、ユーザに対して報酬が支払われる。即ち、UGCは、アフィリエイトメディアとして広告媒体化される。
【０１２４】
このような本技術のモデルの参加者は、図１２に示されるように、１以上の広告主（図１２の例では１人の広告主ＳＰ）、１以上のシステム管理者（図１２の例では１人のシステム管理者ＭＡ）、及び１人以上のユーザ（図１２の例では３人のユーザＵ１乃至Ｕ３）とされている。なお、以下、ユーザＵ１乃至Ｕ３を個々に区別する必要がない場合、これらをまとめてユーザＵと称する。
【０１２５】
広告主ＳＰは、広告主端末を用いて、自己の広告ページＰＧを管理しており、各種UGCに対する広告ページＰＧのリンク付けの作業をシステム管理者ＭＡに依頼する。
【０１２６】
システム管理者ＭＡは、広告主ＳＰの依頼を受けると、サーバ１１０を用いて、例えばユーザＵ１により生成されたUGCに対して、広告ページＰＧのリンク付けの作業、即ち、UGCと広告ページＰＧとを関連付ける作業をする。そして、システム管理者ＭＡは、サーバ１１０を用いて、広告ページＰＧと関連付けられたUGCを、ユーザＵ１により、UGCを生成したユーザ端末に対して予め登録されたポスト先メディアに再生させる。
【０１２７】
このようなシステム管理者ＭＡにより管理されるサーバ１１０は、ユーザＤＢ１２１、コンテンツＤＢ１２２、広告ＤＢ１２３、アフィリエイトコンテンツＤＢ１２４、及び送客情報ＤＢ１２５を有している。
【０１２８】
ユーザＤＢ１２１には、サーバ１１０によりユーザ登録がなされた複数のユーザＵの情報が記憶される。図１２の例では、矢印＃３１に示すように、ユーザＵ１のユーザ登録が既になされている。ユーザＤＢ１２１には、ユーザＵ１のユーザ情報が記憶されている。また、ユーザＤＢ１２１には、ユーザＵ１により登録されたユーザ端末ＣＡ１乃至ＣＡＮ毎の機器識別情報、及びユーザＵ１によりユーザ端末ＣＡ１乃至ＣＡＮ毎に指定されたポスト先メディアの情報が記憶されている。
【０１２９】
コンテンツＤＢ１２２には、複数のユーザＵのUGCが記憶される。例えば図１２の例では、ユーザＵ１が、ユーザ端末ＣＡ１を用いて撮像したハンバーガの画像のコンテンツＣ１に対して、ユーザ端末ＣＡ１の機器識別情報が付与される。ユーザＵ１は、機器識別情報が付加されたコンテンツＣ１を、矢印＃３２に示すように、サーバ１１０に送信する。サーバ１１０は、コンテンツＣ１を受信すると、コンテンツＤＢ１２２に記憶させる。
【０１３０】
広告ＤＢ１２３には、広告主ＳＰの情報が記憶される。図１２の例では、広告ＤＢ１２３には、広告ページＰＧの広告ＩＤ、広告ページＰＧのURI(Uniform Resource Identifier)、広告主ＳＰのＩＤ、広告ページＰＧに関連するキーワードが記憶されている。
【０１３１】
サーバ１１０は、コンテンツＤＢ１２２にコンテンツＣ１が記憶されると、コンテンツＣ１の内容を解析して、その解析結果に基づいてコンテンツＣ１からキーワードを抽出する。
【０１３２】
ここで、コンテンツＣ１は、画像や音声のマルチメディアコンテンツであるため、キーワードとなるテキストそのものが含まれているわけではない。そこで、サーバ１１０は、コンテンツＣ１の内容、例えば画像の一部として含まれる文字列を認識することによって得られる内容、画像の背景として写り込んでいるものを認識することによって得られる内容、画像の位置情報を解析することによって得られる内容、音声を解析することによって得られる内容等を解析する。
【０１３３】
サーバ１１０は、コンテンツＣ１を解析した内容に関連するテキストを任意の手法で特定し、コンテンツＣ１のキーワードとして抽出する。
【０１３４】
そして、サーバ１１０は、抽出されたキーワードと、広告ＤＢ１２３に記憶されている、広告ページＰＧに関連するキーワードとをマッチングする。
【０１３５】
抽出されたキーワードが、広告ページＰＧに関連するキーワードと一致する場合、サーバ１１０は、コンテンツＣ１に対して広告ページＰＧのURIを関連付ける。このようにして、広告ページＰＧのURIが関連付けられた（即ち、リンクが張られた）コンテンツＡＣ１は、上述のように、アフィリエイトメディアとして機能するようになるので、以下、アフィリエイトコンテンツＡＣ１と称する。即ち、サーバ１１０は、コンテンツＣ１に対して広告ページＰＧのURIを関連付けることで、アフィリエイトコンテンツＡＣ１を作成する。
【０１３６】
さらに、サーバ１１０は、ユーザＵ１のユーザＩＤをユーザＤＢ１２１から読み出して、アフィリエイトコンテンツＡＣ１に対して付与する。
【０１３７】
サーバ１１０は、ユーザＩＤが付与されたアフィリエイトコンテンツＡＣ１から、機器識別情報を検出する。そして、サーバ１１０は、検出された機器識別情報が、ユーザＤＢ１２１に登録されているかを照会し、機器識別情報に対応付けられたポスト先メディアの情報を取得する。そして、サーバ１１０は、取得されたポスト先メディアの情報に基づいて、アフィリエイトコンテンツＡＣ１を、機器識別情報に対応付けられたポスト先メディアを管理するメディア管理サーバに送信する。
【０１３８】
図１２の場合、ユーザＵ１により、SNSとしてのポスト先メディアＭＤ１が、ユーザ端末ＣＡ１に対して予め指定されている。このため、アフィリエイトコンテンツＡＣ１は、矢印＃３３に示すように、ポスト先メディアＭＤ１を管理するメディア管理サーバに送信される。これにより、アフィリエイトコンテンツＡＣ１は、他のユーザ、例えばユーザＵ２と、ポスト先メディアＭＤ１において共有される。即ち、ユーザＵ２は、自己のユーザ端末に表示されるアフィリエイトコンテンツＡＣ１を閲覧することができる。
【０１３９】
ここで、ユーザＵ２は、自己のユーザ端末を用いて、ポスト先メディアＭＤ１上のアフィリエイトコンテンツＡＣ１を閲覧している最中に、アフィリエイトコンテンツＡＣ１を選択する操作（クリック等）をしたものとする。この場合、矢印＃３４に示すように、アフィリエイトコンテンツＡＣ１に関連付けられたURIに存在する広告ページＰＧへのリダイレクトが行われ、ユーザＵ２のユーザ端末のディスプレイには広告ページＰＧが表示される。このことは広告主ＳＰの広告ページＰＧにユーザＵ２が集客されたことを意味する。このとき、サーバ１１は、アフィリエイトコンテンツＡＣ１が他のユーザＵを広告ページＰＧに送客した回数を送客情報ＤＢ１２５に記憶する。
【０１４０】
さらに以下、ユーザＵ２によるアフィリエイトコンテンツＡＣ１の再利用について、詳細に説明する。なお、ユーザＵ１のみならず、ユーザＵ２もユーザ登録されており、ユーザＤＢ１２１には、ユーザＵ２のユーザＩＤ、矢印＃３５に示すように、ユーザＵ２により指定されたポスト先メディアの情報等が記憶されているものとする。
【０１４１】
ユーザＵ２は、自己のユーザ端末を用いて、ポスト先メディアＭＤ１を介してアフィリエイトコンテンツＡＣ１を閲覧している最中に、所定の操作により、アフィリエイトコンテンツＡＣ１を再利用する要求を、サーバ１１０に送信する。すると、サーバ１１０は、アフィリエイトコンテンツＡＣ１を複製することで、アフィリエイトコンテンツＡＣ２を作成する。さらに、サーバ１１０は、ユーザＵ２のユーザＩＤをユーザＤＢ１２１から読み出して、アフィリエイトコンテンツＡＣ２に対して付与する。サーバ１１０は、ユーザＩＤが付与されたアフィリエイトコンテンツＡＣ２を、ユーザＵ２により指定されたポスト先メディアを管理するメディア管理サーバに送信する。
【０１４２】
図１２の場合、ユーザＵ２により、Blogとしてのポスト先メディアＭＤ２が予め指定されている。このため、アフィリエイトコンテンツＡＣ２は、矢印＃３６に示すように、ポスト先メディアＭＤ２を管理するメディア管理サーバに送信される。これにより、アフィリエイトコンテンツＡＣ２は、さらに他のユーザＵ、例えばユーザＵ３と、ポスト先メディアＭＤ２において共有される。即ち、ユーザＵ３は、自己のユーザ端末に表示されるアフィリエイトコンテンツＡＣ２を閲覧することができる。
【０１４３】
ここで、ユーザＵ３は、自己のユーザ端末を用いて、ポスト先メディアＭＤ２上のアフィリエイトコンテンツＡＣ２を閲覧している最中に、アフィリエイトコンテンツＡＣ２を選択する操作（クリック等）をしたものとする。この場合、矢印＃３７に示すように、アフィリエイトコンテンツＡＣ２に関連付けられたURIに存在する広告ページＰＧへのリダイレクトが行われ、ユーザＵ２のユーザ端末のディスプレイには広告ページＰＧが表示される。このことは広告主ＳＰの広告ページＰＧにユーザＵ３が集客されたことを意味する。このとき、サーバ１１は、アフィリエイトコンテンツＡＣ２が他のユーザＵを広告ページＰＧに送客した回数を送客情報ＤＢ１２５に記憶する。
【０１４４】
ユーザＵ３も同様にアフィリエイトコンテンツＡＣ２を再利用することができるし、図１２には図示せぬ多数の他のユーザＵｋ（ｋは、２以上の整数値）も、アフィリエイトコンテンツＡＣｋを再利用することができる。つまり、広告ページＰＧのURIが関連付けられたコンテンツＣ１のオリジナル及び複製、即ち、アフィリエイトコンテンツＡＣ１乃至ＡＣＮ（Ｎは、１以上の任意の整数値）は、その個数（＝Ｎ）を増やしながらネットワーク上の各種ポスト先メディア（図１２のポスト先メディアＭＤ１，ＭＤ２を含む）に拡散していく。その際に、多数のユーザＵにより閲覧されることになるので、広告ページＰＧへの多数の集客が期待できるようになる。
【０１４５】
ここで、矢印＃４１乃至＃４３に示すように、システム管理者ＭＡ、ユーザＵ１乃至Ｕ３には、広告主ＳＰからの成果報酬に基づいて、報酬が配分される。具体的には、システム管理者ＭＡに対しては、一定の貢献があるものとして報酬が配分される。
【０１４６】
また、コンテンツＣ１を作成したユーザＵ１は、原則として、コンテンツＣ１に基づいて作成されたオリジナルのアフィリエイトコンテンツＡＣ１を介して他のユーザＵが広告ページＰＧを閲覧したことを条件に、その閲覧回数に応じた報酬を獲得することができる。
【０１４７】
また、ユーザＵ２やユーザＵ３も、原則として、アフィリエイトコンテンツＡＣ１の複製であるアフィリエイトコンテンツＡＣ２やアフィリエイトコンテンツＡＣ２を介して他のユーザＵが広告ページＰＧを閲覧したことを条件に、その閲覧回数に応じた報酬を獲得することができる。
【０１４８】
このように、ユーザＵ１は、ユーザ端末ＣＡ１を利用することで、コンテンツＣ１をユーザＵ２やユーザＵ３といった他のユーザと多次的に共有することができる。
【０１４９】
同様に、図１３を参照して説明するように、ユーザＵＩは、ユーザ端末ＣＡＮを利用することで、コンテンツＣ１とは別のコンテンツＣ１１を、ユーザＵ２やユーザＵ３とは異なった他のユーザと多次的に共有することができる。
【０１５０】
[情報処理システム１００の構成例]
図１３は、図１２と同一のモデルの構成例を示す図である。ただし、図１３の例では、ユーザＵ１は、図１２のユーザ端末ＣＡ１の代わりにユーザ端末ＣＡＮを利用する点が、図１２の例と異なっている。
【０１５１】
図１３の例では、ユーザＵ１が、ユーザ端末ＣＡＮで鳥を撮像する。すると、ユーザ端末ＣＡＮは、撮像した結果得られる鳥の画像のコンテンツＣ１１に対して、ユーザ端末ＣＡＮの機器識別情報を付与する。ユーザＵ１は、機器識別情報が付加されたコンテンツＣ１１を、矢印＃５２に示すように、サーバ１１０に送信する。サーバ１１０は、コンテンツＣ１１を受信すると、コンテンツＤＢ１２２に記憶させる。
【０１５２】
サーバ１１０は、コンテンツＤＢ１２２にコンテンツＣ１１が記憶されると、コンテンツＣ１１の内容を解析して、その解析結果に基づいてコンテンツＣ１１からキーワードを抽出する。そして、サーバ１１０は、抽出されたキーワードと、広告ＤＢ１２３に記憶されている、広告ページＰＧに関連するキーワードとをマッチングする。
【０１５３】
抽出されたキーワードが、広告ページＰＧに関連するキーワードと一致する場合、サーバ１１０は、コンテンツＣ１１に対して広告ページＰＧのURIを関連付けることで、アフィリエイトコンテンツＡＣ１１を生成する。そして、サーバ１１０は、ユーザＵ１のユーザＩＤをユーザＤＢ１２１から読み出して、アフィリエイトコンテンツＡＣ１１に対して付与する。
【０１５４】
図１３の場合、ユーザＵ１により、SNSとしてのポスト先メディアＭＤ３が、ユーザ端末ＣＡＮに対して予め指定されている。このため、アフィリエイトコンテンツＡＣ１１は、矢印＃５３に示すように、ポスト先メディアＭＤ３を管理するメディア管理サーバに送信される。これにより、アフィリエイトコンテンツＡＣ１１は、他のユーザ、例えばユーザＵ４と、ポスト先メディアＭＤ３において共有される。即ち、ユーザＵ４は、自己のユーザ端末に表示されるアフィリエイトコンテンツＡＣ１１を閲覧することができる。
【０１５５】
ここで、図１２と図１３とを比較すると、図１２の場合にはユーザ端末ＣＡ１により生成されたコンテンツＣ１はアフィリエイトコンテンツＡＣ１となり、ポスト先メディアＭＤ１においてユーザＵ２と共有される。一方、図１３の場合にはユーザ端末ＣＡＮにより生成されたコンテンツＣ１１はアフィリエイトコンテンツＡＣ１１となり、図１２の場合とは別のポスト先メディアＭＤ３において、図１２の場合とは別のユーザＵ４と共有される。このように、ユーザは、ユーザ端末を使い分けることで、アフィリエイトコンテンツの共有先や伝搬先を自在に変更することができる。
【０１５６】
なお、図１３の場合に、矢印＃５５，＃５６に示すように、ユーザＵ４の再利用によりポスト先メディアＭＤ４でアフィリエイトコンテンツＡＣ１２が、他のユーザＵ５と共有されるまでの流れは、図１２の場合に、矢印＃３５，＃３６に示すように、ユーザＵ２の再利用によりポスト先メディアＭＤ４でアフィリエイトコンテンツＡＣ１２が、他のユーザＵ３と共有されるまでの流れと基本的に同様であるため、ここではその説明は省略する。同様に、図１３の場合に、矢印＃６１乃至＃６３に示す報酬の支払いについても、図１２の場合に、矢印＃４１乃至＃４３に示す報酬の支払いと基本的に同様であるため、ここではその説明は省略する。
【０１５７】
以上、図１２と図１３を参照して説明したように、１次ユーザは、複数のユーザ端末毎に利用するサービスを使い分けることができるのみならず、さらに各ユーザ端末でサービスを利用する際のサービスの選択操作を不要にすることができる。また、マルチメディアコンテンツ等のUGCに対して広告ページＰＧのURIを関連付けることができる。また、UGCを多次的に共有したユーザＵに対しても、広告主ＳＰからの報酬を分配することができる。
【０１５８】
[本技術のプログラムへの適用]
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１５９】
例えば、コンピュータの一例である図３のサーバ１１若しくは図５のユーザ端末３１において、図３のCPU５１若しくは図５のCPU８１が、例えば、図３の記憶部５８若しくは図５の記憶部８９に記憶されているプログラムを、図３の入出力インタフェース５５若しくは図５の入出力インタフェース８５、並びに図３のバス５４若しくは図５のバス８４を介して、図３のRAM５３若しくは図５のRAM８３にロードして実行することにより、上述した一連の処理が行われる。
【０１６０】
コンピュータが実行するプログラムは、例えば、パッケージメディア等としての図３のリムーバブルメディア６１又は図５のリムーバブルメディア９２に記録して提供することができる。また、プログラムは、ローカルエリアネットワーク、インターネット、デジタル衛星放送といった、有線または無線の伝送媒体を介して提供することができる。
【０１６１】
コンピュータでは、プログラムは、図３のリムーバブルメディア６１又は図５のリムーバブルメディア９２を図３のドライブ６０又は図５のドライブ９１に装着することにより、図３の入出力インタフェース５５又は図５の入出力インタフェース８５を介して、図３の記憶部５８又は図５の記憶部８９にインストールすることができる。また、プログラムは、有線または無線の伝送媒体を介して、図３の通信部５９又は図５の通信部９０で受信し、図３の記憶部５８又は図５の記憶部８９にインストールすることができる。その他、プログラムは、図３のROM５２又は図５のROM８２や図３の記憶部５８又は図５の記憶部８９に、あらかじめインストールしておくことができる。
【０１６２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１６３】
本技術の実施の形態は、上述した実施の形態に限定されるものではなく、本技術の要旨を逸脱しない範囲において種々の変更が可能である。
【０１６４】
例えば、本技術は、１つの機能をネットワークを介して複数の装置で分担、共同して処理するクラウドコンピューティングの構成をとることができる。
【０１６５】
また、上述のフローチャートで説明した各ステップは、１つの装置で実行する他、複数の装置で分担して実行することができる。
【０１６６】
さらに、１つのステップに複数の処理が含まれる場合には、その１つのステップに含まれる複数の処理は、１つの装置で実行する他、複数の装置で分担して実行することができる。
【０１６７】
なお、本技術は、以下のような構成もとることができる。
（１）
機器の識別情報とポスト先の情報とを対応付けて記憶する記憶部と、
前記機器から送信されてきた、前記識別情報が付加されたコンテンツを、前記識別情報に対応付けられた前記ポスト先に送信する送信制御部と
を備える情報処理装置。
（２）
前記記憶部は、ユーザが使用する前記機器又は別の機器から送信されてきた、前記識別情報と前記ポスト先の情報とを対応付けて記憶する
前記（１）に記載の情報処理装置。
（３）
前記コンテンツから前記識別情報を検出する検出部と、
前記検出部により検出された前記識別情報が前記記憶部に記憶されていることを照会して、前記識別情報に対応付けられた前記ポスト先の情報を前記記憶部から取得する照会部と
をさらに備え、
前記送信制御部は、前記照会部により取得された前記ポスト先の情報に基づいて、前記コンテンツを前記ポスト先に送信する
前記（１）または（２）に記載の情報処理装置。
（４）
前記識別情報は、前記機器のシリアルナンバーである
前記（１）または（３）に記載の情報処理装置。
（５）
前記送信制御部は、前記機器から送信されてきた、前記ポスト先の認証情報を前記ポスト先に送信し、
前記記憶部は、前記ポスト先において認証が成功した場合、前記認証情報を記憶する
前記（１）乃至（４）のいずれかに記載の情報処理装置。
（６）
自機の識別情報と、コンテンツの送信先となるポスト先の情報とを送信する送信制御部と、
コンテンツを取得する取得部と、
前記取得部により取得されたコンテンツに対して、前記識別情報を付与する識別情報付与部と
を備え、
前記送信制御部は、自機が登録されたサーバに対して、前記識別情報付与部により前記識別情報が付与された前記コンテンツを送信する
情報処理装置。
（７）
自機の識別情報と、コンテンツの送信先となるポスト先の情報とを送信する送信制御部と、
コンテンツを取得する取得部と、
前記取得部により取得されたコンテンツに対して、前記識別情報を付与する識別情報付与部と
を有し、
前記送信制御部は、自機が登録されたサーバに対して、前記識別情報付与部により前記識別情報が付与された前記コンテンツを送信する
ユーザ端末と、
前記識別情報と、前記ポスト先の情報とを対応付けて記憶する記憶部と、
前記ユーザ端末から送信されてきた、前記識別情報が付加された前記コンテンツを、前記識別情報に対応付けられた前記ポスト先に送信する送信制御部と
を有するサーバと
を備える
情報処理システム。
【０１６８】
本技術は、複数のサービスを提供する情報処理装置に広く適用することができる。
【符号の説明】
【０１６９】
１  情報処理システム，  １１  サーバ，  ３１  ユーザ端末，  ３２  メディア管理サーバ，  １２０  受信制御部，  １２１  認証部，  １２２  送信制御部１２２，  １２３  検出部，  １２４  照会部，  １５１  コンテンツ取得部，  １５２  受付部，  １５３  送信制御部，  １５４  機器識別情報付与部，  １５５  受信制御部，  １５６  出力制御部，  １００  情報処理システム
【図１】
2013196405.tif 000003
【図２】
2013196405.tif 000004
【図３】
2013196405.tif 000005
【図４】
2013196405.tif 000006
【図５】
2013196405.tif 000007
【図６】
2013196405.tif 000008
【図７】
2013196405.tif 000009
【図８】
2013196405.tif 000010
【図９】
2013196405.tif 000011
【図１０】
2013196405.tif 000012
【図１１】
2013196405.tif 000013
【図１２】
2013196405.tif 000014
【図１３】
2013196405.tif 000015